(57)【要約】【課題】製造が容易でコストを低減することができ、落下による衝撃等を受けても収納した記録メディアの損傷を確実に防止することができ、さらに、他の用途にも使用できて有用性にすぐれた記録メディア収納ケースを提供する。【解決手段】  記録メディアの挿入・取出口を有する表地と、その表地の裏側に重ね合わされて周縁部を表地と閉合された裏地と、上記表地と裏地の間に挟入されたクッション材とによりマット状のケース本体が形成され、上記ケース本体における表地とクッション材との間に記録メディア収納部が形成される。また、上記裏地が携帯電子機器の液晶画面用クリーナーとして形成される。上記ケース本体には携帯電子機器に対する連結用ストラップが取り付けられる。【選択図】図２
0003103561.tif 000002
【実用新案登録請求の範囲】
【請求項１】
記録メディアの挿入・取出口を有する表地と、その表地の裏側に重ね合わされて周縁部を表地と閉合された裏地と、上記表地と裏地の間に挟入されたクッション材とによりマット状のケース本体が形成され、上記ケース本体における表地とクッション材との間に記録メディア収納部が形成されたことを特徴とする記録メディア収納ケース。
【請求項２】
上記裏地が携帯電子機器の液晶画面用クリーナーとして形成されていることを特徴とする請求項１記載の記録メディア収納ケース。
【請求項３】
上記表地として合成皮革が使用され、上記裏地として起毛加工された布地又は／及び超極細繊維で形成された布地が使用され、上記クッション材としてウレタンフォームがそれぞれ使用されたことを特徴とする請求項１又は２記載の記録メディア収納ケース。
【請求項４】
上記ケース本体の表地に湾曲する切込線により上記記録メディアの挿入・取出口が形成されたことを特徴とする請求項１、２又は３記載の記録メディア収納ケース。
【請求項５】
上記ケース本体の角部に携帯電子機器に対する連結用ストラップが取り付けられていることを特徴とする請求項１、２、３又は４記載の記録メディア収納ケース。
【請求項６】
上記連結用ストラップは、輪状の紐部材に、伸縮自在なコイル状部材が接続されて形成されていることを特徴とする請求項５記載の記録メディア収納ケース。
【考案の詳細な説明】
【技術分野】
【０００１】
本考案は、携帯電話やデジタルカメラ等の携帯電子機器に使用されているメモリースティック等の記録メディアを収納して携帯するためのケースに関する。
【０００２】
携帯電話やデジタルカメラ等の携帯電子機器にはメモリースティック等の記録メディアが使用されている。
【０００３】
上記記録メディアは、従来、硬質のプラスチックで形成された専用の蓋付きケースに収納されて保護されることが多い。
【０００４】
上記プラスチック製の保護ケースは、金型を用いて成形し、かつ、蓋を一体に形成するので、製造に手間がかかり、コストが高くなるというデメリットがある。
【０００５】
また、上記記録メディアの保護ケースは硬質プラスチックにより形成されていることから、例えば落下した場合に、内部の記録メディアにも衝撃が加わって、記録メディアが損傷するという不具合があった。
【０００６】
また、落下の衝撃がひどい場合はケース本体が割れて、再度使用することができなくなるという不具合もあった。
【０００７】
また、上記保護ケースは、単独で鞄等に収納されて携帯されることが多いので、収納場所を忘れて探すのに手間取り、即座に使用できないという不便があった。また、紛失する虞もあった。
【０００８】
また、上記保護ケースは記録メディアを保護する機能しか有しておらず、有用性が足りないという不満もある。
【０００９】
本出願人は上記不具合を解消できる記録メディア収納ケースについて調査したが、関連する先行技術文献を発見することはできなかった。
【考案の開示】
【考案が解決しようとする課題】
【００１０】
そこで、本考案は上記の不具合を解消すること、即ち、製造が容易でコストを低減することができ、落下による衝撃等を受けても収納した記録メディアの損傷を確実に防止することができ、さらに、他の用途にも使用できて有用性にすぐれた記録メディア収納ケースの提供を課題とする。
【課題を解決するための手段】
【００１１】
上記課題を解決するために、請求項１記載の本考案に係る記録メディア収納ケースは、記録メディアの挿入・取出口を有する表地と、その表地の裏側に重ね合わされて周縁部を表地と閉合された裏地と、上記表地と裏地の間に挟入されたクッション材とによりマット状のケース本体が形成され、上記ケース本体における表地とクッション材との間に記録メディア収納部が形成されたことを特徴とするものである。
【００１２】
即ち、本考案に係る記録メディア収納ケースは、上記ケース本体における表地とクッション材との間に形成された記録メディア収納部に記録メディアを収納して保護するものである。
【００１３】
また、請求項２記載の本考案に係る記録メディア収納ケースは、上記裏地が携帯電子機器の液晶画面用クリーナーとして形成されていることを特徴とする。
【００１４】
即ち、本考案に係る記録メディア収納ケースは、上記裏地で携帯電子機器の液晶画面を拭くことによりクリーンな状態にして見やすくすることができる。
【００１５】
また、請求項３記載の本考案に係る記録メディア収納ケースは、上記表地として合成皮革が使用され、上記裏地として起毛加工された布地又は／及び超極細繊維で形成された布地が使用され、上記クッション材としてウレタンフォームがそれぞれ使用されたことを特徴とする。
【００１６】
即ち、本考案に係る記録メディア収納ケースは、上記表地として堅牢な合成皮革が使用され、上記裏地として塵や埃の除去能力にすぐれた起毛加工された布地又は／及び超極細繊維で形成された布地が使用され、上記クッション材として衝撃吸収性にすぐれたウレタンフォームがそれぞれ使用されるものである。
【００１７】
また、請求項４記載の本考案に係る記録メディア収納ケースは、上記ケース本体の表地に湾曲する切込線により上記記録メディアの挿入・取出口が形成されたことを特徴とする。
【００１８】
即ち、本考案に係る記録メディア収納ケースは、上記記録メディアの挿入・取出口が上記湾曲した切込線により容易に形成されるものである。
【００１９】
また、請求項５記載の本考案に係る記録メディア収納ケースは、上記ケース本体の角部に携帯電子機器に対する連結用ストラップが取り付けられていることを特徴とする。
【００２０】
即ち、本考案に係る記録メディア収納ケースは、上記連結用ストラップを用いて携帯電話やデジタルカメラ等に繋ぐことにより、それらの機器と一緒に携帯することができる。
【００２１】
また、請求項６の本考案に係る記録メディア収納ケースは、上記連結用ストラップは、輪状の紐部材に、伸縮自在なコイル状部材が接続されて形成されていることを特徴とする。
【００２２】
即ち、本考案に係る記録メディア収納ケースは、裏地により携帯電話等の液晶画面を拭く場合に上記伸縮自在なコイル状部材を伸ばして作業することができる。
【考案の効果】
【００２３】
請求項１記載の本考案に係る記録メディア収納ケースは、まず、内部に収納される記録メディアが表地とクッション材との間にサンドイッチ状に挟まれ、かつ、クッション材の後には裏地が重ね合わされることから、記録メディアの両面がソフト素材でカバーされ、たとえ落下しても衝撃吸収性が良いので、記録メディアの損傷を確実に防止することができる。
また、全体がソフトで手触りが良好であり、衣服の胸ポケットなどに収納して携帯した場合に違和感がなく、使いやすい。
また、ケース本体は、記録メディアの挿入・取出口を有する表地と裏地の間にクッション材を挟んで、表地と裏地の周縁部を溶着等の手段で閉合することにより形成されることから、金型を使用せず、かつ、蓋も不用なので、製造コストを極めて低減することができる。
【００２４】
また、請求項２記載の本考案に係る記録メディア収納ケースは、ケース本体の裏地が携帯電子機器の液晶画面用クリーナーとして形成されていることから、例えば携帯電話の液晶画面が曇って見にくくなった場合に、その液晶画面を磨いてクリアにすることができるので、液晶画面に表示された文字等を明確に判読することができる。
【００２５】
また、請求項３記載の本考案に係る記録メディア収納ケースは、表地に合成皮革が、裏地に起毛加工された布地又は／及び超極細繊維で形成された布地が、クッション材にウレタンがそれぞれ使用されたことから、全体がソフトで手触りが良く、使いやすい。
また、材料費が安く、加工もしやすいので、製造コストを低減することができる。
【００２６】
また、請求項４記載の本考案に係る記録メディア収納ケースは、上記ケース本体の表地に切込線を形成するだけで記録メディアの挿入・取出口が形成されるので、その挿入・取出口の形成が容易で製造コストを下げることができる。
また、上記記録メディアの挿入・取出口は湾曲するように形成されていることから、その挿入・取出口の縁を捲って開閉しやすくなるので、記録メディアの挿入や取り出しが容易になる。
【００２７】
また、請求項５記載の本考案に係る記録メディア収納ケースは、ケース本体の角部に携帯電子機器に対する連結用ストラップが取り付けられていることから、携帯電話等に接続して一緒に携帯できるので、単独でバッグ等に入れて携帯する場合のように紛失するようなことがなく、かつ、即座に使用できる利便がある。
【００２８】
また、請求項６記載の本考案に係る記録メディア収納ケースは、輪状の紐部材に、伸縮自在なコイル状部材が接続されて上記連結用ストラップ形成されていることから、特に、ケース本体の裏地部分で携帯電話の液晶画面を磨くような場合に、上記コイル状部材を伸ばすことができるので、作業がしやすいという利便がある。
【考案を実施するための最良の形態】
【００２９】
以下、図面を用いて本考案の実施の形態について説明する。
本実施形態に係る記録メディア収納ケース１は、図２に示すように、記録メディアの挿入・取出口２を有する表地３と、その表地３の裏側に重ね合わされて周縁部を表地３と閉合された裏地４と、上記表地３と裏地４の間に挟入されたクッション材５とによりマット状のケース本体６が形成され、上記ケース本体６における表地３とクッション材５との間に記録メディア収納部７が形成されている。
また、上記裏地４は、図２に示すように、携帯電子機器の液晶画面用クリーナー８として形成されている。
また、図２に示すように、上記表地３として合成皮革９が使用され、上記裏地４として起毛加工された布地１０又は／及び超極細繊維で形成された布地が使用され、上記クッション材５としてウレタンフォーム１１がそれぞれ使用されている。
また、図１に示すように、上記ケース本体６の表地３に湾曲する切込線１２により上記記録メディアの挿入・取出口２が形成されている。
また、図１に示すように、上記ケース本体６の角部に携帯電子機器に対する連結用ストラップ１３が取り付けられている。
また、上記連結用ストラップ１３は、図１に示すように、輪状の紐部材１４に、伸縮自在なコイル状部材１５が接続されて形成されている。
【実施例１】
【００３０】
図示した本実施例に係る記録メディア収納ケース１は、図１に示すように、ケース本体６に連結用ストラップ１３が取り付けられて構成されている。
【００３１】
上記ケース本体６は、図１に示すように、横幅寸法が３０ｍｍで、縦長寸法が４０ｍｍのカード形で、薄いマット状に形成されている。
【００３２】
上記ケース本体６は、図１に示すように、上辺部の一方の角部に斜め上方への突出部１６が形成され、その突出部１６に穿設された孔部１７に上記連結用ストラップ１３の連結リング１８が繋がれている。
【００３３】
上記ケース本体６は、図２に示すように、表地３と、裏地４と、クッション材５とを重ね合わせて構成されている。
【００３４】
即ち、図２に示すように、表地３の裏側に裏地４が重ね合わされて、それらの周縁部が溶着により閉合されると共に、上記表地３と裏地４との間に上記クッション材５が挟入されて構成されている。
【００３５】
そして、図２に示すように、上記ケース本体６における表地３とクッション材５との間に記録メディア収納部７が形成されている。
なお、本実施例では、上記記録メディア収納部７が、記録メディアの一種である携帯電話用のメモリースティック１９を収納しうるサイズに形成されている。しかしながら、メモリースティック１９以外の記録メディアを収納しうるように形成することも勿論可能である。
【００３６】
また、図１に示すように、上記ケース本体６における表地３の上辺部近傍には記録メディアの挿入・取出口２が形成されている。
【００３７】
上記記録メディアの挿入・取出口２は、図１に示すように、上記ケース本体６の表地３に湾曲する切込線１２により形成されている。このように切込線１２を湾曲させることにより、切込線１２の縁を捲って記録メディアの挿入・取出口２を開口しやすくなり、メモリースティック１９の挿入及び取出しが容易になる。
【００３８】
上記表地３の素材には合成皮革９が使用され、、上記クッション材５の素材にはウレタンフォーム１１がそれぞれ使用されている。
【００３９】
また、上記裏地４は、図２に示すように、携帯電話の液晶画面用クリーナー８として形成されている。
なお、上記液晶画面用クリーナー８は携帯電話だけでなく、デジタルカメラ、テレビ、カーナビ等にも勿論使用可能である。
【００４０】
上記裏地４の素材としては起毛加工された布地１０が使用されている。なお、裏地４には超極細繊維で形成された布地を使用することも可能である。
【００４１】
なお、本実施例では、上記裏地４として「ラムース」（商品名  旭化成社製）を使用した。
因みに、上記「ラムース」の物性等は下記の表１に示す通りである。
【００４２】
【表１】
0003103561.tif 000003
【００４３】
また、本実施例では、上記表地３としてポリエチレン及びポリプロピレンを主成分とする環境にやさしいエコロジー素材である「エマーソフト」（商品名  東亜合成工業社製）を使用した。
【００４４】
因みに、上記「エマーソフト」についての燃焼ガス分析試験を行ったが、有害な塩化水素ガスは検出されなかった。
なお、上記試験は、財団法人  化学技術戦略推進機構  高分子試験・評価センターに依頼して、燃焼管内設定温度；７５０（℃）、支援ガスの種類；空気、支援ガス供給量；０．５（Ｌ／ｍｉｎ）、燃焼管内保持時間；１０（ｍｉｎ）、試験片の質量；０．１（ｇ）、着火時間；１３（ｓ）、燃焼時間；１０（ｓ）の条件で行った。
【００４５】
また、上記「エマーソフト」について食品衛生法に基づく食品添加物等の規格基準適合試験を上記と同一の機関に依頼して行った。
その結果、材質試験により検出されたものは、鉛が１ｐｐｍ以下、カドミウムが１ｐｐｍ以下であった。また、溶出試験の結果は、重金属；１ｐｐｍ以下、過マンガン酸カリウム消費量；３．８ｐｐｍ、蒸留残留物の水；１．５ｐｐｍ、蒸留残留物の４％酢酸；１．０ｐｐｍ、蒸留残留物の２０％アルコール；２．５ｐｐｍ、蒸留残留物のｎ−ヘプタン；８４．０ｐｐｍであった。
そして、上記試験結果は、いずれも食品衛生法に基づく食品添加物等の規格基準に適合し、安全性が確認された。
【００４６】
また、図１に示すように、上記ケース本体６の角部に取り付けられた連結用ストラップ１３は、輪状の紐部材１４に、プラスチックで形成された伸縮自在なコイル状部材１５が接続されて形成されている。
【００４７】
上記コイル状部材１５は、図１に示すように、上記連結リング１８を介して上記ケース本体６に繋がれている。そして、上記輪状の紐部材１４が携帯電話に繋がれるように形成されている。
【産業上の利用可能性】
【００４８】
本考案は、すべての記録メディア収納ケースに適用可能である。
【図面の簡単な説明】
【００４９】
【図１】斜視図である。
【図２】図１のＡ−Ａ線断面図である。
【符号の説明】
【００５０】
１    記録メディア収納ケース
２    記録メディアの挿入・取出口
３    表地
４    裏地
５    クッション材
６    ケース本体
７    記録メディア収納部
８    液晶画面用クリーナー
９    合成皮革
１０  起毛加工された布地
１１  ウレタンフォーム
１２  切込線
１３  連結用ストラップ
１４  紐部材
１５  コイル状部材
１６  突出部
１７  孔部
１８  連結リング
１９  メモリースティック
【図１】
0003103561.tif 000004
【図２】
0003103561.tif 000005